(57)【要約】      （修正有）【課題】屋根下地又は既設屋根材に固定した屋根材取付具に屋根材を簡単且つ確実に取付ける屋根構造の提供。【解決手段】屋根材取付具１は断面略波形状で、山部２１には止具頭部４１を収納する止具収納凹所２３を形成し、且つ、山部２１の一側面には内側に凹んだ係止受段部２４を形成してなり、屋根材３は断面略波形状で、一端の山部３１ａに屋根材止具収納凹所３３を形成すると共に、他端に形成された山部３１ｂの下端縁に係止片３５を形成し、且つ、前記山部３１ａの一側面には内側に凹んだ係止段部３４を形成してなり、屋根基材１上に固定した屋根材取付具２の係止受段部２４に屋根材３の係止段部３４を仮止め、重合された屋根材止具収納凹所３３及び止具収納凹所２３を通じて屋根材取付具２に屋根材３を止具４で固定すると共に、他の屋根材３”の他端の山部３１”及び係止片３５”を前記屋根材３一端の山部３１ａに被覆及び係止段部３４に係止する。【選択図】図１
2008106489.tif 000002
【特許請求の範囲】
【請求項１】
屋根基材上に屋根材取付具を配設、固定し、この屋根材取付具に屋根材を取り付けてなる屋根構造において、
前記屋根材取付具は、山部及び谷部を交互に連設して断面略波形状に形成されると共に、前記山部の頂上部には、タッピングビス・釘・ボルト等の止具の頭部を収納可能な止具収納凹所を形成し、且つ、前記山部の少なくとも一側面には、内側に凹んだ係止受段部を形成してなり、
前記屋根材は、前記屋根材取付具に対応する山部及び谷部を交互に連設して断面略波形状に形成されると共に、一端に形成された山部の頂上部には、前記屋根材取付具の前記止具収納凹所に重合する屋根材止具収納凹所を形成すると共に、他端に形成された山部の下端縁には、内側に折曲して他の屋根材の係止段部に係止する係止片を形成し、且つ、前記山部の少なくとも一側面には、前記屋根材取付具の係止受段部に係止可能な内側に凹んだ係止段部を形成してなり、
前記屋根材取付具を屋根基材上に配設、固定した後、該屋根材取付具の係止受段部に前記屋根材の係止段部を係止して仮止め、前記屋根材の一端に重合された屋根材止具収納凹所及び止具収納凹所を通じて、前記屋根材取付具に屋根材を、タッピングビス・釘・ボルト等の止具で固定すると共に、前記止具の頭部を屋根材止具収納凹所に収納し、この頭部を収納した屋根材止具収納凹所及び止具収納凹所に、他の屋根材の他端に形成された山部を被覆させ、他の屋根材の係止片を、前記屋根材一端の山部の係止段部に係止してなる屋根構造。
【請求項２】
請求項１において、
屋根基材は、既設の屋根材を用いてなる屋根構造。
【発明の詳細な説明】
【技術分野】
【０００１】
本発明は、屋根基材上に屋根材取付具を配設、固定し、この屋根材取付具に屋根材を取り付けてなる屋根構造に関する。
【背景技術】
【０００２】
従来、屋根の下地上に、屋根材取付具を配設、固定し、この屋根材取付具に屋根材を取り付けてなる屋根構造は公知であり、近年では、施工作業を容易に行うと共に、コストの低減を図るための屋根構造が提案されている。
【０００３】
具体的には、前記屋根の下地上に、前記屋根材取付具を配設、固定すると共に、略左右対称な側縁成形部を有する縦葺屋根板を敷設してなる縦葺屋根構造として、前記縦葺屋根板の側縁成形部には、面板部側の高さの途中のみに、前記屋根材取付具の被嵌合部に保持される嵌合部を備えると共に、該嵌合部の外方に、隣り合う縦葺屋根板と互いに重合する重合部を備え、敷設状態において上側に位置させた重合部の端部が下側に位置させた重合部に弾性的に当接させるものが知られている（例えば、特許文献１参照。）。
【特許文献１】特開２００３−１８４２３０号
【発明の開示】
【発明が解決しようとする課題】
【０００４】
しかし、この縦葺屋根構造は、隣り合う縦葺屋根板同士を複数個所で弾性的に重合させて、その施工作業を容易に行う点では良いが、以下の問題がある。
【０００５】
すなわち、下側に位置された縦葺屋根板は、下地上に固定した屋根材取付具と弾性的に嵌合されているが、強風等によって前記縦葺屋根板が撓んだり、或いは、温度変化によって縦葺屋根板が膨張したりすると、これら縦葺屋根板と屋根材取付具との嵌合が外れてしまい大事故に繋がる危険がある。
【０００６】
そのため、縦葺屋根板と屋根材取付具を、例えば、タッピングビス・釘・ボルト等の止具で固定することも考えられるが、これでは、前記止具の頭部が前記屋根材取付具に突出されて、前記縦葺屋根板と屋根材取付具との間に間隙が生じ、両者を密着して取付けることができず、前記縦葺屋根板と屋根材取付具との嵌合が外れ易いという問題が生じる。
【０００７】
また、近年では、所謂リフォームとして、既設の屋根材を取り外すことなく、この既設の屋根材を残存させたままで、新たな屋根板を容易に施工することも要望されている。
【０００８】
本発明は、かかる課題を解決することを目的とするもので、屋根の下地上又は既設の屋根材上に屋根材取付具を配設、固定し、この屋根材取付具に屋根材を簡単且つ確実に取り付け可能な屋根構造を提供する。
【課題を解決するための手段】
【０００９】
前記目的を達成するため、
請求項１に係る屋根構造は、屋根基材上に屋根材取付具を配設、固定し、この屋根材取付具に屋根材を取り付けてなる屋根構造において、前記屋根材取付具は、山部及び谷部を交互に連設して断面略波形状に形成されると共に、前記山部の頂上部には、タッピングビス・釘・ボルト等の止具の頭部を収納可能な止具収納凹所を形成し、且つ、前記山部の少なくとも一側面には、内側に凹んだ係止受段部を形成してなり、前記屋根材は、前記屋根材取付具に対応する山部及び谷部を交互に連設して断面略波形状に形成されると共に、一端に形成された山部の頂上部には、前記屋根材取付具の前記止具収納凹所に重合する屋根材止具収納凹所を形成すると共に、他端に形成された山部の下端縁には、内側に折曲して他の屋根材の係止段部に係止する係止片を形成し、且つ、前記山部の少なくとも一側面には、前記屋根材取付具の係止受段部に係止可能な内側に凹んだ係止段部を形成してなり、前記屋根材取付具を屋根基材上に配設、固定した後、該屋根材取付具の係止受段部に前記屋根材の係止段部を係止して仮止め、前記屋根材の一端に重合された屋根材止具収納凹所及び止具収納凹所を通じて、前記屋根材取付具に屋根材を、タッピングビス・釘・ボルト等の止具で固定すると共に、前記止具の頭部を屋根材止具収納凹所に収納し、この頭部を収納した屋根材止具収納凹所及び止具収納凹所に、他の屋根材の他端に形成された山部を被覆させ、他の屋根材の係止片を前記屋根材一端の山部の係止段部に係止してなる。
【００１０】
請求項２に係る屋根構造は、請求項１において、屋根基材は、既設の屋根材を用いてなる。
【発明の効果】
【００１１】
本発明によれば、次のような効果がある。
請求項１に係る屋根構造によれば、屋根材取付具と屋根材とは、複数の山部で弾性的に嵌合することで施工作業を容易に行うと共に、コストの低減を図ることができるうえ、係止受段部と係止段部との係止により、屋根材が下方に位置ズレすることなく確実に位置決めして施工でき、しかも、これら屋根材取付具と屋根材とは、タッピングビス・釘・ボルト等の止具で確実に固定されるため、両者の嵌合が外れる危険を防止できる。
【００１２】
また、前記屋根材取付具の山部の頂上部には、前記止具の頭部を収納可能な止具収納凹所を形成すると共に、前記屋根材の一端の山部には、前記止具収納凹所に重合する屋根材止具収納凹所を形成しているため、これら屋根材止具収納凹所及び止具収納凹所に前記頭部を完全に埋没して収納することができ、前記屋根材取付具と屋根材とを密着して取付け、両者を簡単且つ確実に嵌合することができる。
【００１３】
請求項２に係る屋根構造によれば、屋根基材を既設の屋根材を用いるため、既設の屋根材を取り外すことなく、請求項１と同等の効果を発揮することができ、新たな屋根材を簡単且つ確実に所謂リフォームできる。
【発明を実施するための最良の形態】
【００１４】
以下、本発明に係る屋根構造Ａを図面とともに説明する。
【実施例１】
【００１５】
図１は、本発明に係る屋根構造Ａを示した概略断面図であり、（ａ）は、屋根基材１、屋根材取付具２、屋根材３が各々分離された状態の概略断面図を示し、（ｂ）は、屋根基材１、屋根材取付具２、屋根材３を取付けた状態の概略断面図を示している。また、図２は、図１で示した本発明に係る屋根構造Ａの要部を拡大した概略断面図である。
【００１６】
この屋根構造Ａは、屋根基材１上に屋根材取付具２を配設、固定し、この屋根材取付具２に屋根材３を取り付けてなる。
【００１７】
本実施例で示す屋根基材１は、所謂リフォームを容易に行うため、既設の屋根材を用いてなるが、新築のような屋根の下地であっても構わない。
【００１８】
屋根材取付具２は、山部２１及び谷部２２を交互に連設して断面略波形状に形成されると共に、山部２１の頂上部には、タッピングビス・釘・ボルト等の止具４の頭部４１を収納可能な止具収納凹所２３を形成し、且つ、山部２１の両側面には、内側に凹んだ一対の係止受段部２４を形成してなる。
【００１９】
この屋根材取付具２は、一体形成しても構わないが、例えば、従来公知の吊子やタイトフレームと称される部材の山部上端に、下方に凹ませた略椀状の別部材を形成し、両者をリベット又は溶接等で固着したものでも構わない。
【００２０】
屋根材３は、屋根材取付具２に対応する山部３１及び谷部３２を交互に連設して断面略波形状に形成されると共に、一端に形成された山部３１ａの頂上部には、屋根材取付具２の止具収納凹所２３に重合する屋根材止具収納凹所３３を形成すると共に、他端に形成された山部３１ｂの下端縁には、内側に折曲して他の屋根材３’の係止段部３４’に係止する係止片３５を形成し、且つ、これら山部３１、３１ａ、３１ｂの少なくとも一側面には、屋根材取付具２の係止受段部２４に係止可能な内側に凹んだ係止段部３４を形成してなる。
【００２１】
具体的には、一端の山部３１ａ及び他端の山部３１ｂには、各々の内側面にのみ係止段部３４を形成すると共に、これら山部３１ａ、３１ｂ以外の山部３１には、両側面に一対の係止段部３４を形成してなる。
【００２２】
この係止段部３４は、係止受段部２４と嵌合可能な形状であれば良いが、本実施例では、両者の嵌合を確実にするため、係止受段部２４として、略水平な受部２４ａを形成すると共に、この受部２４ａの上方に間隔をあけて突部２４ｂを設けてなり、一方、この係止受段部２４に嵌合される係止段部３４として、内方に凹ませた断面略コ状に形成して両者を嵌合可能にしている。
【００２３】
そのため、屋根材取付具２に嵌合される屋根材３は、山部３１の頂上が支持されると共に、係止受段部２４と係止段部３４との嵌合によって支持され、下方向への位置ズレを確実に防止すると共に、上方向への移動も規制され、屋根材３を確実に取付けできる。
【００２４】
このように構成した本発明に係る屋根構造Ａは、先ず、屋根材取付具２を屋根基材１上に配設し、屋根材取付具２の谷部２２適所に、タッピングビス・釘・ボルト等の固着具１１によって屋根材取付具２を屋根基材１上に固定する。
【００２５】
次いで、固定された屋根材取付具２の係止受段部２４に、屋根材３の係止段部３４を係止して仮止めし、この屋根材３の一端の山部３１ａに重合された屋根材止具収納凹所３３及び止具収納凹所２３を通じて、屋根材取付具２に屋根材３を、タッピングビス・釘・ボルト等の止具４で固定すると共に、この止具４の頭部４１を屋根材止具収納凹所３３及び止具収納凹所２３に埋没させて収納する。
【００２６】
このようにして頭部４１が収納された屋根材止具収納凹所３３及び止具収納凹所２３に、他の屋根材３”の他端３１ｂ”に形成された山部３１”を被覆させ、この山部３１”に形成された他の係止片３５”を、屋根材３一端の山部３１ａの係止段部３４に係止するのである。
【００２７】
上述した通り、本発明に係る屋根構造Ａによれば、屋根材取付具２と屋根材３とは、複数の山部２１、３１で弾性的に嵌合することで施工作業を容易に行うと共に、コストの低減を図ることができるうえ、係止受段部２４と係止段部３４との係止により、屋根材３が下方に位置ズレすることなく確実に位置決めして施工でき、しかも、これら屋根材取付具２と屋根材３とは、タッピングビス・釘・ボルト等の止具４で確実に固定されるため、両者の嵌合が外れる危険を防止できる。
【００２８】
また、屋根材取付具２の山部２１頂上部には、止具４の頭部４１を収納可能な止具収納凹所２３を形成すると共に、屋根材３の一端の山部３１ａには、この止具収納凹所３３に重合する屋根材止具収納凹所３３を形成しているため、この屋根材止具収納凹所３３に頭部４１を完全に埋没して収納することができ、これら屋根材取付具２と屋根材３とを密着して取付け、両者を簡単且つ確実に嵌合することができる。
【００２９】
しかも、屋根基材１として、既設の屋根材を用いることができるため、既設の屋根材を取り外すことなく、新たな屋根基材１を簡単且つ確実に所謂リフォームすることができる。
【図面の簡単な説明】
【００３０】
【図１】本発明に係る屋根構造Ａを示した概略断面図であり、（ａ）は、屋根基材１、屋根材取付具２、屋根材３が各々分離された状態の概略断面図を示し、（ｂ）は、屋根基材１、屋根材取付具２、屋根材３を取付けた状態の概略断面図を示している。
【図２】図１で示した本発明に係る屋根構造Ａの要部を拡大した概略断面図である。
【符号の説明】
【００３１】
Ａ      屋根構造
１      屋根基材
２      屋根材取付具
２１    山部
２２    谷部
２３    止具収納凹所
２４    係止受段部
３      屋根材
３１    山部
３１ａ  一端に形成された山部
３１ｂ  他端に形成された山部
３２    谷部
３３    屋根材止具収納凹所
３４    係止段部
３５    係止片
３５’  他の係止片
４      止具
４１    頭部
【図１】
2008106489.tif 000003
【図２】
2008106489.tif 000004